(57)【要約】      （修正有）【課題】水筒を設置できると同時に、自転車などの乗り物にカギを掛けて防犯の効果を持つ水筒ホルダー及びカギの統合装置を提供する。【解決手段】水筒ホルダー及びカギの統合装置は、座体、カギ、フレーム、ロープ及び水筒ホルダーを含み、座体を乗り物に固定し、それに鍵穴及び掛合孔を設ける。カギを鍵穴内に嵌合し、フックを具有する。フレームは座体を囲み、カギの位置に対応して嵌合溝を設け、フレームの外側表面に溝を設ける。ロープは座体に固定する固定端を具有し、ロープ本体は溝を囲み、掛合孔に嵌合してロックできる掛合端を具有する。水筒ホルダーはメインボード及び延伸アームを具有し、メインボード及び延伸アームはそれぞれ座体に固定し、水筒ホルダーと座体の間に、水筒をセットできる収納スペースを形成する。【選択図】図３
0003164203.tif 000002
【実用新案登録請求の範囲】
【請求項１】
座体、カギ、フレーム、ロープ、水筒ホルダーを含み、
該座体を乗り物に固定し、該座体に鍵穴及び該鍵穴と連通する一つの掛合孔を設け、
該カギを該鍵穴内に嵌合し、該掛合孔内に出し入れできるフックを具有し、
該フレームは該座体を囲み、カギの位置に対応して一つの嵌合溝を設け、該フレームの外側表面に一つの溝を設け、
該ロープは固定端、ロープ本体及び掛合端を具有し、一端の固定端を該座体に固定し、該ロープ本体は延びて該溝を囲み、別端の掛合端にロープ本体を嵌合し、
該水筒ホルダーは一つのメインボード及び該メインボードから延伸する複数の延伸アームを具有し、該メインボードの一端及び該延伸アームをそれぞれ該座体に固定することで、水筒ホルダーと該座体の間に、水筒を設置できる収納スペースを形成することを特徴とする水筒ホルダー及びカギの統合装置。
【請求項２】
前記鍵穴の外回りに相互に対応する一対の凸ブロックを延伸し、該凸ブロックは対応して該嵌合溝に嵌合することを特徴とする請求項１記載の水筒ホルダー及びカギの統合装置。
【請求項３】
前記凸ブロック上方の座体の両側にそれぞれ一つのくぼみを設け、
該延伸アームのフリーエンドを該くぼみに嵌めてから更に該フレームが延伸アームを挟んで、該座体に固定することを特徴とする請求項２記載の水筒ホルダー及びカギの統合装置。
【請求項４】
前記フレームはＵ字型の形状であることを特徴とする請求項１記載の水筒ホルダー及びカギの統合装置。
【請求項５】
前記フレームにロープ本体を出すことのできる穴を設置することを特徴とする請求項４記載の水筒ホルダー及びカギの統合装置。
【請求項６】
前記フレームには、該掛合端を定位置に掛けられるフックを設置することを特徴とする請求項４記載の水筒ホルダー及びカギの統合装置。
【請求項７】
前記フレームのフックの上方に、ロープ本体を巻きつけて固定できるアームを設置することを特徴とする請求項６記載の水筒ホルダー及びカギの統合装置。
【請求項８】
前記乗り物とは自転車とすることを特徴とする請求項１記載の水筒ホルダー及びカギの統合装置。
【考案の詳細な説明】
【技術分野】
【０００１】
本考案は、水筒ホルダー及びカギの統合構造に関する。
【背景技術】
【０００２】
エコ意識が高まり、各国の政府が省エネに力を入れるなか、自転車をレジャーに、或いは出勤時の交通手段として使用する人が増えてきた。自転車に乗ると、体から大量の汗が排出されやすくなり、水分補給が特に重要であるため、多くの方が自転車に水筒ホルダーを備え付ける。しかし、自転車のような重量が軽く、ナンバープレイトを必要としない乗り物は、盗難に遭いやすい。
【０００３】
従来技術の水筒ホルダーとチェーンは、個別にそれぞれ自転車の異なる位置に設置される。特にチェーンは使用しない際に、収納場所に困ることがある。また、水筒ホルダーにセットする水筒は、騎乗する路面がデコボコしていると、ホルダーから脱落しやすい。
【０００４】
また、水筒ホルダーとチェーンの組み合わせデザインは幾つか案出されているが、どれも複雑で商品化しにくい、または、材料に制限がある。例えば、太いチェーンを使用すると、穴に通しにくく、座体に収納できるチェーンの長さが短く、その長さでは自転車の車体をロックすることができない。また、細いチェーンを使用すると、油圧カッターやノコギリなどで切断されるなど、使用上の不便が随所にあるため、更なる改善が必要であった。
【先行技術文献】
【特許文献】
【０００５】
【特許文献１】特開平５−３０５８８７
【考案の概要】
【考案が解決しようとする課題】
【０００６】
前述した従来公知の水筒ホルダー及びカギの統合構造の欠点を解決するため、本考案は、水筒をセットすることができるとともに、盗難防止のカギをも搭載する、水筒ホルダーとカギの統合装置を提供することを主な課題とする。
【課題を解決するための手段】
【０００７】
前記課題を解決するために、本考案は水筒ホルダー及びカギの統合装置の構造を提供するものであり、水筒をセットでき、且つカギを掛けることもできる。それに含まれるのは座体、カギ、フレーム、ロープ及び水筒ホルダーである。該座体を乗り物に固定し、一つの鍵穴及びそれに連通する掛合孔を設ける。該カギを鍵穴に嵌合し、該掛合孔に出し入れできるフックを具有する。該フレームは座体を囲み、カギの位置に対応して一つの嵌合溝を設け、該フレームの外側表面に溝を設ける。該ロープは固定端、ロープ本体及び掛合端を具有し、一端の固定端を該座体に固定し、該ロープ本体は延びて該溝を囲み、別端の掛合端にロープ本体を嵌合し、掛合端にあるくびれにカギのフックを掛けてロックする。該水筒ホルダーは一つのメインボード及び該メインボードから延伸する複数の延伸アームを具有する。該メインボードの一端及び該延伸アームをそれぞれ該座体に固定することで、水筒ホルダーと該座体の間に、水筒を設置できる収納スペースを形成する。
【０００８】
すなわち、請求項１の考案は、水筒ホルダー及びカギの統合装置において、座体、カギ、フレーム、ロープ、水筒ホルダーを含み、該座体を乗り物に固定し、該座体に鍵穴及び該鍵穴と連通する一つの掛合孔を設け、該カギを該鍵穴内に嵌合し、該掛合孔内に出し入れできるフックを具有し、該フレームは該座体を囲み、カギの位置に対応して一つの嵌合溝を設け、該フレームの外側表面に一つの溝を設け、該ロープは固定端、ロープ本体及び掛合端を具有し、一端の固定端を該座体に固定し、該ロープ本体は延びて該溝を囲み、別端の掛合端にロープ本体を嵌合し、該水筒ホルダーは一つのメインボード及び該メインボードから延伸する複数の延伸アームを具有し、該メインボードの一端及び該延伸アームをそれぞれ該座体に固定することで、水筒ホルダーと該座体の間に、水筒を設置できる収納スペースを形成することを特徴とする。
【０００９】
請求項２の考案は、請求項１記載の水筒ホルダー及びカギの統合装置は、前記鍵穴の外回りに相互に対応する一対の凸ブロックを延伸し、該凸ブロックは対応して該嵌合溝に嵌合することを特徴とする。
請求項３の考案は、請求項２記載の水筒ホルダー及びカギの統合装置において、前記凸ブロック上方の座体の両側にそれぞれ一つのくぼみを設け、該延伸アームのフリーエンドを該くぼみに嵌めてから更に該フレームが延伸アームを挟んで、該座体に固定することを特徴とする。
請求項４の考案は、請求項１記載の水筒ホルダー及びカギの統合装置において、前記フレームはＵ字型の形状であることを特徴とする。
【００１０】
請求項５の考案は、請求項５記載の水筒ホルダー及びカギの統合装置において、前記フレームにロープ本体を出すことのできる穴を設置することを特徴とする。
請求項６の考案は、請求項４記載の水筒ホルダー及びカギの統合装置において、前記フレームには、該掛合端を定位置に掛けられるフックを設置することを特徴とする。
請求項７の考案は、請求項６記載の水筒ホルダー及びカギの統合装置において、前記フレームのフックの上方に、ロープ本体を巻きつけて固定できるアームを設置することを特徴とする。
請求項８の考案は、請求項１記載の水筒ホルダー及びカギの統合装置において、前記乗り物とは自転車とすることを特徴とする。
【考案の効果】
【００１１】
本考案の水筒ホルダー及びカギの統合装置によれば、構造がシンプルで製造しやすく、ロープ本体をフレームの溝内に収納することができ、全体の美観効果がある。また、本考案のロープ本体の太さに制限がないため、自転車の防犯効果は更に保障される。本考案の掛合端は、使用しない際にフックに掛けることができる。
【図面の簡単な説明】
【００１２】
【図１】本考案における統合装置の立体分解図である。
【図２】本考案における統合装置の組立略図である。
【図３】本考案における統合装置の別の角度から見た組立略図である。
【図４】本考案における統合装置の組立断面図である。
【図５】本考案のロープをフレームに巻きつけた組立略図である。
【図６】本考案における統合装置を自転車に応用した使用状態図(一)である。
【図７】本考案における統合装置を自転車に応用した使用状態図(二)である。
【図８】本考案における統合装置を自転車に応用した使用状態図(三)である。
【考案を実施するための形態】
【００１３】
本考案による水筒ホルダー及びカギの統合装置の構造を明確に示すために図に沿って詳細な説明を行う。
図１から図５に示すのは、本考案における水筒ホルダー及びカギの統合装置である。該統合装置１が主に含むのは座体１０、カギ２０、フレーム３０、ロープ４０及び水筒ホルダー５０である。
【００１４】
該座体１０は扁平状の長方形のブロック体の形状である。該左側に鍵穴１１を設け、該鍵穴１１はブラインドビアであり、該座体１０を貫通せず、鍵穴１１の下方に鍵穴１１と連通する掛合孔１２を設置する。該鍵穴１１の外回りに相互に対応する一対の凸ブロック１３を延伸し、該凸ブロック１３上方の座体１０の両側にそれぞれ一つのくぼみ１４を設ける。該座体１０の上下に円形穴１５及びカプセル型穴１６を設ける。
【００１５】
該カギ２０を前記鍵穴１１の形状に合わせて嵌合し、該カギ２０の前方に錠芯２１を具有し、後方に錠芯２１と接続する一つのフック２２を設置し、該フック２２は錠芯２１の回転に合わせて掛合孔１２に出入りする(図４を参照)
【００１６】
フレーム３０は大まか「Ｕ」字型を呈し、前記座体１０を左右から抱え込む形で接続する。フレーム３０のフリーエンドの両サイド壁にそれぞれ前記凸ブロック１３を嵌合固定する嵌合溝３１を設ける。図３における左の嵌合溝３１の下方に一つの穴３２を設置し、両サイドの壁の上下に、ネジなどの固定部品を通せる多数の貫通穴３３(図４参照)を設ける。また、フレーム３０の表面に一つの溝３４を設け、フレーム３０の右側下方に一つのフック３５を形成する。更にフック３５の上方にフレーム３０から延伸する一つのアーム３６を具有し、そこにロープ４０を巻きつけて固定する。
【００１７】
図１に示すように、ロープ４０に固定端４１、ロープ本体４２及び掛合端４３を具有し、図３、４に示すように、固定端４１を座体１０の穴３２に通して、更にネジで固定する。ロープ本体４２は固定端４１から延伸し、フレーム３０の穴３２に通して外に出す。該ロープ本体４２は図５に示す溝３４内に収納できる。掛合端４３はロープ本体４２と接続し、該端部に一つのくびれを成型する。該掛合端４３を掛合孔１２に嵌める際、錠芯２１を回転し、フック２２を掛合端４３のくびれに掛合する(図４を参照)。このほか、掛合端４３を使用しない場合、ロープ本体４２の弾力性により、引っ張られないよう、先にロープ本体４２の一部をアーム３６に巻きつけてから、掛合端４３を前記フック３５内に嵌合する(図５を参照)
【００１８】
水筒ホルダー５０は人形の形をしており、それにメインボード５１及び二つの延伸アーム５２を具有する。メインボード５１は「Ｊ」字型の形状を成し、該中心部分に一本の溝５３を設けることで、弾性的に変形しやすくさせる。メインボード５１の短い部分に穴を設け、ネジなどの固定部品で座体１０の端に固定する。該延伸アーム５２のフリーエンドを前記くぼみ１４に嵌めてから更にフレーム３０の両サイド壁で固定し、その上ネジなどの固定部品を使って座体１０に固定し、水筒ホルダー５０と座体１０の間に収納スペースＡを形成する。
【００１９】
図６から図８に示すように、本考案の統合装置１は乗り物(自転車)７にカギを掛けることができるほか、水筒８を設置することができる。本実施例の乗り物７は自転車であり、それに車体７１を具有し、該車体７１は主に一つの横棒７１１と前傾斜棒７１２、横棒７１１及び前傾斜棒７１２と接続する後傾斜棒７１３で構成し、大まかな三角形を形成する。
【００２０】
使用時に固定リング或いはネジ（図に未掲載）を円形穴１５及びカプセル型穴１６に通し、座体１０を横棒７１１に (図６を参照)、前傾斜棒７１２に(図７を参照)或いは後傾斜棒７１３に(図８を参照)固定することができる。騎乗中はロープ本体４２をフレーム３０の溝３４内に収納することができるほか、同じくロープ本体４２を水筒８の外側を巻きつけることもでき、水筒８を更にしっかりと固定する。騎乗しない際は、ロープ本体４２を後輪に通し、固定柱９に巻きつけてから掛合端４３を掛合孔１２内に嵌め、錠芯２１を回転してフック２２を掛合端４３にロックする(図４を参照)。
【符号の説明】
【００２１】
１  統合装置
１０  座体
１１  鍵穴
１２  掛合孔
１３  凸ブロック
１４  くぼみ
１５  円形穴
１６  カプセル型穴
２０  カギ
２１  錠芯
２２  フック
３０  フレーム
３１  嵌合溝
３２  穴
３３  貫通孔
３４  溝
３５  フック
３６  アーム
４０  ロープ
４１  固定端
４２  ロープ本体
４３  掛合端
５０  水筒ホルダー
５１  メインボード
５２  延伸アーム
５３  溝
Ａ  収納スペース
７  自転車(乗り物)
７１  車体
７１１  横棒
７１２  前傾斜棒
７１３  後傾斜棒
８  水筒
９  固定柱
【図１】
0003164203.tif 000003
【図２】
0003164203.tif 000004
【図３】
0003164203.tif 000005
【図４】
0003164203.tif 000006
【図５】
0003164203.tif 000007
【図６】
0003164203.tif 000008
【図７】
0003164203.tif 000009
【図８】
0003164203.tif 000010